(57)【要約】【課題】軒樋を支持する樋受け材に換気用開口部を設けることで、室内側への空気の取り入れ及び室外側への排気を容易に行うことができる樋受け構造、及びその施工法を提供する。【解決手段】本発明は、建築物の軒先に沿って固定された樋受け材４で軒樋１を支持する樋受け構造にあって、樋受け材４は、取付面５Ａに固定される固定部４１と、該固定部４１から離反する方向へ延在する支持部４２と、を有し、支持部４２には、軒樋１の建築物側の側面１３が支持されると共に上下方向に連通する換気用開口部４２１が形成されていることを特徴とする。【選択図】図１
2020125586.tif 000002
【特許請求の範囲】
【請求項１】
建築物の軒先に沿って固定された樋受け材で軒樋を支持する樋受け構造にあって、
前記樋受け材は、取付面に固定される固定部と、該固定部から離反する方向へ延在する支持部と、を有し、前記支持部には、前記軒樋の建築物側の側面が支持されると共に上下方向に連通する換気用開口部が形成されていることを特徴とする樋受け構造。
【請求項２】
樋受け材は、固定部の上方に該固定部から離反する方向へ上方延出部を有し、該上方延出部には、上下方向に連通する換気用開口部が形成されていることを特徴とする請求項１に記載の樋受け構造。
【請求項３】
請求項１〜２の何れか一項に記載の樋受け構造を施工する方法であって、
建築物の取付面に樋受け材を固定する第１の工程と、
前記樋受け材に、軒樋の建築物側の側面を取り付ける第２の工程と、
前記軒樋の開放上面を覆うようにカバー材を臨ませ、その上端を、建築物の外装下地又は樋受け材に固着すると共に、その下端に設けた係合部を、前記軒樋の軒先端に設けた係合受部に係合させる第３の工程と、からなることを特徴とする樋受け構造の施工法。
【発明の詳細な説明】
【技術分野】
【０００１】
本発明は、軒樋を支持する樋受け材に換気用開口部を設けることで、室内側への空気の取り入れ及び室外側への排気を容易に行うことができる樋受け構造、及びその施工法に関する。
【背景技術】
【０００２】
従来、屋根の樋としては、軒先に設ける軒樋が一般的に広く知られている。
この軒樋を固定する構造（機構）としては、例えば特許文献１，２等に示されるものが広く知られている。
特許文献１には、軒樋と軒先前面との間隔をその下方において閉塞するカバー材３を取り付け、該カバー材３に設けた支持片（係止部）にて軒樋の一方の側面の上端（耳部）を係止する構造が記載されている。
特許文献２には、建物の外壁に固定する軒樋支持装置６に対し、多孔体５を含む上側部材３を上面側に、軒体本体１である下側部材４を吊り保持する構造が記載されている。
【先行技術文献】
【特許文献】
【０００３】
【特許文献１】実開平５−３８１５３号公報
【特許文献２】特開２０００−２９１２１３号公報
【発明の開示】
【発明が解決しようとする課題】
【０００４】
しかしながら、前記特許文献１のカバー材３も、前記特許文献２の軒樋支持装置６も、建築物の外壁に片持ち状に固定する構造であって、これらの部材に室内側への換気を行う構成を備えていない。そのため、建築物の換気を目的とするなら、別途換気装置や換気構造を取り付ける必要があった。
【０００５】
そこで、本発明は、軒樋を支持する樋受け材に換気用開口部を設けることで、室内側への空気の取り入れ及び室外側への排気を容易に行うことができる樋受け構造、及びその施工法を提案することを目的とする。
【課題を解決するための手段】
【０００６】
本発明は、上記に鑑み提案されたものであって、建築物の軒先に沿って固定された樋受け材で軒樋を支持する樋受け構造にあって、前記樋受け材は、取付面に固定される固定部と、該固定部から離反する方向へ延在する支持部と、を有し、前記支持部には、前記軒樋の建築物側の側面が支持されると共に上下方向に連通する換気用開口部が形成されていることを特徴とする樋受け構造を提案するものである。
【０００７】
また、本発明は、前記樋受け構造において、樋受け材は、固定部の上方に該固定部から離反する方向へ上方延出部を有し、該上方延出部には、上下方向に連通する換気用開口部（なお、支持部における換気用開口部と区別するため、この上方延出部の換気用開口部は以後の説明では「通孔」という）が形成されている樋受け構造をも提案する。
【０００８】
さらに、本発明は、前記樋受け構造を施工する方法であって、建築物の取付面に樋受け材を固定する第１の工程と、前記樋受け材に、軒樋の建築物側の側面を取り付ける第２の工程と、前記軒樋の開放上面を覆うようにカバー材を臨ませ、その上端を、建築物の外装下地に固着すると共に、その下端に設けた係合部を、前記軒樋の軒先端に設けた係合受部に係合させる第３の工程と、からなることを特徴とする軒先構造の施工法をも提案するものである。
【発明の効果】
【０００９】
本発明の樋受け構造は、軒樋の建築物側の側面を、建築物の取付面に固定した樋受け材に支持させ、この樋受け材の支持部に設けた換気用開口部から換気を行う構造であって、室内側への空気の取り入れ、室外側への排気を容易に行うことができる。
【００１０】
また、樋受け材は、固定部の上方に該固定部から離反する方向へ上方延出部を有し、該上方延出部には、上下方向に連通する通孔が形成されている場合、横面状部分が上下二重に形成されるものとなり、換気も通孔から換気用開口部を通って行うことができ、軒樋をより安定に支持することができる。
【００１１】
さらに、前記樋受け構造の施工法は、第１〜第３の何れの工程も、特殊な治具や装置等を用いることもなく容易に実施でき、前述のように有用な樋受け構造を施工できる。
【図面の簡単な説明】
【００１２】
【図１】（ａ）本発明の第１実施例の樋受け構造を示す側面図、（ｂ）それに用いた樋受け材を示す側面図である。
【図２】（ａ）本発明の第２実施例の樋受け構造を示す側面図、（ｂ）それに用いた樋受け材を示す側面図ある。
【図３】（ａ）本発明の第３実施例の樋受け構造を示す側面図、（ｂ）それに用いた樋受け材を示す側面部である。
【図４】樋受け材の支持部（換気用開口部）のバリエーションを示す底面部である。
【発明を実施するための形態】
【００１３】
本発明の樋受け構造は、建築物の軒先に沿って固定された樋受け材で軒樋を支持するものであって、前記樋受け材は、取付面に固定される固定部と、該固定部から離反する方向へ延在する支持部と、を有し、前記支持部には、前記軒樋の建築物側の側面が支持されると共に上下方向に連通する換気用開口部が形成されていることを特徴とする。
【００１４】
前記軒樋は、雨水等を長さ方向に排水する内部空間（排水部）を有するものであって、通し材が用いられることが多いが、複数の組み合わせでもよい。この軒樋は、底面と二つの側面とからなる断面略Ｕ字状に形成され、その開放上面を覆うようにカバー材が配設される。この軒樋の建築物側の側面が、取付面に固定した前記樋受け材に取り付けられ、軒先側の側面には、その上端を外装下地又は樋受け材に固定されるカバー材の係合部に接続される係合受部が設けられる。
【００１５】
この軒樋の係合受部は、後述する図示実施例では、最上部に位置する傾斜面と水平面とで形成されたＬ字状部分であるが、カバー材の下端に設けられる係合部に連絡（接続）されるものであれば、その具体的形状を限定するものではない。この係合受部が、カバー材の係合部に連絡（接続）されるので、この軒樋の軒先端をカバー材で引っ張るように保持することができる。
【００１６】
この軒樋の開放上面を覆うカバー材は、軒樋の内部に降雪が堆積したり、落ち葉等が侵入、堆積することを防止する部材であって、特にその材質（材料）を限定するものではなく、前記軒樋と同様に通し材でもよいし複数の組み合わせでもよい。なお、このカバー材は、その上端を外装下地又は樋受け材に固定されるものであって、軒樋の開放上面の全面を覆うものでも一部のみを覆うものでもよい。
このカバー材の表面には、雨水を内部へ導く導水口、例えば小径のスリット孔が多数形成され、該導水口の存在により、降雪の堆積や落ち葉等の浸入の防止も果たされる。
このカバー材としては、経年の使用により脱離や飛散しないものであれば、金属メッシュ材（金網状材）でもよい。この金属メッシュ材の開口寸法については、前記導水口と同様に広過ぎると落ち葉等の侵入が生じるため、その侵入を防止して雨水を導水できるものであればよい。
【００１７】
このカバー材に設けられる係合部は、軒樋の軒先端（係合受部）と係合するものであって、後述する図示実施例では、傾斜面と水平面とで形成されたＬ字状部分であるが、前記軒樋に設けられる係合受部に係合されるものであれば、その具体的形状を限定するものではない。この係合部が、軒樋の係合受部に係合されるので、軒樋の軒先端をこのカバー材で引っ張るように保持することができる。
【００１８】
前記樋受け材は、取付面に固定される固定部と、該固定部から離反する方向へ延在する支持部とを備え、前記軒樋を支持する部材である。この樋受け材は、前記軒樋と同様に通し材が用いられることが多いが、複数の組み合わせでもよい。
【００１９】
前記取付面とは、建築物に形成され、締着具等の固定具を打ち込めるものであれば、特に限定するものではなく、例えば外壁面等の縦面でもよいし、前記固定部とはその取付面に沿わせる縦面状部分を指す。
【００２０】
前記支持部には、上下方向に連通する換気用開口部が形成されているが、その形状等を限定するものではなく、後述する図示実施例に示すように多数の小孔をその長さ方向に設けるようにしてもよい。この換気用開口部は、下方からの吹き込み風を建築物内へと導く通孔であって、その開口寸法については、前記カバー材における導水口と同様に、広過ぎると落ち葉等の侵入が生じる上、近年、各種の昆虫や野生動物等が天井裏等に入り込む恐れがあるため、それらを防止して吹き込み風を導入できるものであればよい。
また、この支持部は、軒樋の建築物側の側面を支持する役割を果たすものであって、具体的には、軒樋の建築物側の側面の下端を載置状に受けるＬ字状部分（下方保持部）を備える。
即ちこの支持部は、少なくとも固定部から離反する方向へ延在する横面状部分を備え、該横面状部分に上下方向に連通する換気用開口部が形成され、その先端にＬ字状部分である下方保持部が形成されている。
【００２１】
前記換気用開口部は、前述のように下方からの吹き込み風を建築物内へと導く通孔であり、各種の昆虫等の侵入を防止できるものが望ましいため、複数部材にて形成されるものであってもよい。即ち単一部材で換気用開口部を形成する場合は、支持部に複数の孔を形成する態様となり、複数部材で換気用開口部を形成する場合は、支持部に比較的大きな孔を形成しておき、別部材としてネット状や通気性素材で形成される網状材等の比較的小さな孔を形成して取り付ける態様等がある。
【００２２】
なお、この樋受け材には、前述の固定部及び支持部に加え、固定部の上方に固定部から離反する方向へ上方延出部を有し、該上方延出部には、上下方向に連通する通孔を形成してもよい。この通孔は、前記支持部における換気用開口部と同様に形成してもよいし、敢えて異なるように形成してもよい。
この上方延出部は、前記支持部（の横面状部分）の上方に形成されるものであって、後述する図示実施例のように支持部と平行状に形成してもよいが、特に平行状に限定されるものではない。
【００２３】
また、この樋受け材には、前記カバー材の上端（固着部）を固定する被固着部を設けるようにしてもよい。
前述のように前記カバー材は、その外装下地又はこの樋受け材に固定されるものであって、言い換えれば、カバー材の上端に設けた固着部を固定する被固着部を、例えば軒先唐草等の外装下地に設けてもよいし、この樋受け材に設けるようにしてもよい。
【００２４】
さらに、この樋受け材には、前記固定部と対向状に縦面部を形成してもよく、該縦面部の上端を外側へ折り返してく字状部分（上方保持部）を形成してもよい。
この縦面部に設ける上方保持部は、軒樋の建築物側の側面の上端を保持するので、前記支持部の先端に設けた下方保持部と共に軒樋の建築物側の側面を安定に保持することができる。
【００２５】
本発明の樋受け構造は、該構造の表裏の化粧面を形成する軒樋やカバー材の裏面側に、換気用開口部を備える樋受け材を用いたものであり、軒樋やカバー材としては、専ら通し材を用いるが、複数の組み合わせであってもよく、経年の使用に際して変形等を生じないものであればよく、各種の金属板材や硬質樹脂成形板等が用いられる。一方、樋受け材としては、前記軒樋を支持するための強度、支持強度を求められるので、その耐久性を備える金属金具や厚肉の樹脂成形品等が用いられる。
【００２６】
これらの部材から構成される樋受け構造を施工する方法は、以下の通りである。
まず、第１の工程として、取付面に樋受け材を固定する。
次に、第２の工程として、前記樋受け材の支持部（下方保持部）に、軒樋の建築物側の側面を取り付ける。
そして、第３の工程として、前記軒樋の開放上面を覆うようにカバー材を臨ませ、その上端を、建築物の外装下地（軒先唐草）又は樋受け材に固着すると共に、その下端に設けた係合部を、前記軒樋の軒先端に設けた係合受部に係合させる。
【００２７】
以上説明した本発明の樋受け構造は、軒樋の建築物側の側面を、取付面に固定した樋受け材に取り付け、樋受け材の支持部に設けた換気用開口部から換気を行うので、室内側への空気の取り入れ、室外側への排気を容易に行うことができる。
【００２８】
また、樋受け材に、固定部の上方に前記上方延出部を設けた場合には、横面状部分が上下二重に形成されるものとなり、換気も通孔から換気用開口部を通って行うことができ、軒樋をより安定に支持することができる。
【実施例１】
【００２９】
図１（ａ）に示す本発明の第１実施例の樋受け構造は、建築物の軒先に沿って固定された樋受け材４で軒樋１を支持するものである。また、前記樋受け材４は、取付面に固定される固定部４１と、該固定部４１から離反する方向へ延在する支持部４２と、を有する構成である。また、前記支持部４２には、軒樋１の建築物側の側面１３が支持され、上下方向に連通する換気用開口部４２１が形成されている。
【００３０】
前記軒樋１は、雨水等を排水する内部空間（排水部）を有する通し材であり、底面１１と二つの側面１２，１３とからなる断面略Ｕ字状に形成され、建築物側の側面１３が、取付面（建築物の外壁面５Ａ）に固定した樋受け材４（の下方保持部４２２）に取り付けられ、前記底面１１には、下方へ延在する縦樋２の上端が連結される構成である。
この第１実施例における軒樋１の排水部（内部空間）は、略水平状の底面１１の軒先側（図面では左側）に、三つの傾斜面と二つの水平面とで構成される段状の側面１２が形成され、前記底面１１の建築物側（図面では右側）には、略垂直状に起立する側面１３が形成され、これらの底面１１及び側面１２，１３にて断面略Ｕ字状の雨水等の排水路が形成されるため、底面１１に、その上端が接続された縦樋２へ速やかに雨水を排水できる。なお、縦樋２の上端には、複数の導水穴２１を備えるキャップ状の排水口２Ｂが取り付けられている。
また、前記軒先側の側面１２の上端には、前記カバー材３の係合部３２が包持状に係合する係合受部１２１が最上端の傾斜面と水平面とで形成され、前記建築物側の側面１３の下端には、樋受け材４の下方保持部４２２に受支される略Ｌ字状の支持受部１３１が形成されている。
【００３１】
前記カバー材３は、前記軒樋１の開放上面を覆う部材であって、軒樋１の内部に降雪が堆積したり、落ち葉等が侵入、堆積したり、鳥類等が巣作りすることを防止する部材であり、通し材でも複数の組み合わせでもよい。
第１実施例におけるカバー材３は、その表面（化粧面３１）に、雨水を内部へ導く導水口３１１として複数の小径のスリット孔が形成されるが、その軒先近傍には流れ傾斜と逆に上り傾斜する返し面３１３が形成され、その境界部分には排水溝３１２が形成されている。
また、前記化粧面３１の軒先端には、化粧面３１の下端を下方へ折り曲げ、更に裏面側へ延在させたＬ字状の係合部３２が形成されている。
さらに、前記化粧面３１の上端付近には、外装下地６Ｆに一体的に固定される軒先唐草６Ｄに形成された被固着部６６に支持され、且つビス（固着具）６ｂにて固着される固着部３３が形成されている。
【００３２】
前記軒樋１を支持する樋受け材４は、前述のように固定部４１と、支持部４２と、を有するが、固定部４１が固定される取付面は、内側に通気層５０を備える外壁面５Ａであって、固定部４１はそれに沿わせる縦面状部分を指し、長ビス状の固定具４ｂにて外壁面５Ａに固定されている。
前記支持部４２は、少なくとも前記固定部４１から離反する方向（図では左方）へ延在する横面状部分を備え、該横面状部分に上下方向に連通する換気用開口部４２１が形成され、その先端には、前記軒樋１の略Ｌ字状の支持受部１３１を下方から支持する下方保持部４２２が形成されている。
この換気用開口部４２１は、図４に示すバリエーションから、吹き込み風と共に落ち葉等の侵入が生じないような、各種の昆虫や野生動物等が天井裏等に入り込めないような、ものが適宜に選択される。なお、この第１実施例における換気用開口部４２１は、単一部材で形成される態様であるから、より細かな孔を形成したものが望ましい。
【００３３】
また、この第１実施例における樋受け材４は、図１（ｂ）に示すように前記固定部４１が垂直縦面、前記支持部４２が水平横面に形成され、前記固定部４１と対向状に縦面部４３を備える略Ｕ字状の成形体であって、該縦面部４３の上端を外側へ折り返してく字状の上方保持部４３１が形成されている。
この縦面部４３に設ける上方保持部４３１は、軒樋１の建築物側の側面１３の上端を保持するので、前記支持部４２の先端に設けた下方保持部４２２と共に軒樋１の建築物側の側面１３を安定に保持することができる。
【００３４】
前述の軒樋１、樋受け材４、カバー材３以外の構成を以下に簡単に説明する。
図中の５Ａは内部に通気層５０を備える外壁面、７Ａは軒棟方向に敷設された躯体であり取り入れられた換気の流路７０を形成しており、７Ｂはその構築された構造物であって、６Ａは縦葺き外装材、６ｂはそれ（６Ａ）を保持する吊子、６ｃはその固定具、６Ｄは被固着部６６を備える軒先唐草、６ｅはその固定具、６Ｆは縦葺き外装材６Ａの裏面側に配設された下地材（外装下地）である。
前記軒先唐草６Ｄは、外装下地６Ｆの軒先部分に嵌合状に取り付けられ、軒先側へ延在して縦葺き外装材６Ａの軒先端を係合させる被係合部６５と、該被係合部６５よりも更に軒先側へ突出して前記カバー材３を固定する被固着部６６と、を備える。
【００３５】
これらの部材から構成される樋受け構造を施工する方法を簡単に説明する。
まず、第１の工程として、取付面５Ａに樋受け材４の固定部４１を長ビス（固定具）４ｂにて固定した。
次に、第２の工程として、前記樋受け材４の支持部４２（の下方保持部４２２）に、軒樋１の建築物側の側面１３（の支持受部１３１）を載置状に取り付けた。この第１実施例では、その際、軒樋１の建築物側の側面１３の上端を、樋受け材４の上方保持部４３１に下方から差し込むように保持させた。その後、ビス１ｂを打ち込んで側面１３を縦面部４３に固定した。
そして、第３の工程として、前記軒樋１の開放上面を覆うようにカバー材３を臨ませ、その上端（固着部３３）を、建築物の外装下地（軒先唐草６Ｄに設けた被固着部６６）にビス（固着具）３ｂにて固着すると共に、その下端に設けた係合部３２を、前記軒樋１の軒先端に設けた係合受部１２１に係合させた。
【００３６】
このように施工された本発明の樋受け構造は、軒樋１の建築物側の側面１３の支持受部１３１を、取付面５Ａに固定した樋受け材４の下方保持部４２２に取り付け、樋受け材４の支持部４２に設けた換気用開口部４２１から上下方向に換気を行うので、室内側への空気の取り入れ、室外側への排気を容易に行うことができる。
なお、図中に点線の白抜き矢印で、室内側への空気の取り入れを示しているが、吹き込み風が換気用開口部４２１から取り入れられ、換気の流路７０へ導入されている状態が示されている。
【００３７】
また、この第１実施例では、軒樋１の建築物側の側面１３を、取付面に固定した樋受け材４に固定し、軒樋１の軒先側の側面１２に設けた係合受部１２１を、軒先唐草６Ｄに固着したカバー材３にて引っ張るように保持している構造であって、軒樋１の左右端を安定に保持できる。
【００３８】
さらに、この第１実施例では、前記構成のカバー材３を用いたので、雨水や雪と共に落ち葉等が侵入することがなく、雨水や雪等を導水して排水することができ、例えば豪雨等に際しても、返し面３１３にて一時的に雨水等を貯留して排水溝３１２にて流れ方向に排水することができる。
【００３９】
図２（ａ）に示す本発明の第２実施例の樋受け構造は、用いる樋受け材４'が、前記第１実施例における樋受け材４とは異なるものであり、それ以外の軒樋１やカバー材３等については全く同様であるから、図面に同一符号を付して説明を省略する。
【００４０】
この第２実施例における樋受け材４'は、図２（ｂ）に示すように固定部４１'と、支持部４２'と、を有し、前記固定部４１'が垂直縦面、前記支持部４２'が水平横面に形成される点では前記第１実施例と共通するが、この第２実施例における樋受け材４'は、固定部４１'が短く形成され、打ち込む固定具４ｂも少ないが、その上端から該固定部４１'から離反する方向（図では左方）へ延在する上方延出部４４が設けられている。
また、前記上方延出部４４の端部から上方へ延出する縦面部４３'を形成されているが、前記第１実施例における縦面部４３が支持部４２から垂直状に立ち上がっているのに対し、この縦面部４３'は上方延出部４４の端部から立ち上がっている点で相違するが、その上端を外側へ折り返してく字状の上方保持部４３１'が形成される点では共通する。
なお、前記上方保持部４３１'の外側には、符号（４５）で示す略Ｚ字状部分が存在するが、当該実施例では敢えて説明しない。
【００４１】
前記上方延出部４４は、前記支持部４２'と平行状に形成される水平横面であり、上下方向に連通する通孔４４１を備えている。この通孔４４１は、前記第１実施例における換気用開口部４２１と同様に、図４に示すような吹き込み風と共に落ち葉等の侵入が生じないような、各種の昆虫や野生動物等が天井裏等に入り込めないような、ものが適宜に選択される。
【００４２】
一方、この第２実施例における支持部４２'における換気用開口部４２１'は、左右に設けた一対の横溝４２３に、白抜き矢印で示すように網状板４Ｃの端縁を取り付けて形成されている。そのため、以下に示すように様々な態様を適宜に選択できる。なお、この網状板４Ｃは、ネット状でも通気性素材で形成されるものでもよい。
例えば前記換気用開口部４２１'として、支持部４２'に複数の貫通孔を形成しておき、その複数の貫通孔を覆うように横溝４２３に網状板４Ｃを取り付けるため、特に小さな昆虫等の侵入を容易に防止することができる。具体的には、支持部４２'に形成する複数の貫通孔として、数センチレベルの孔を形成し、数ミリ或いはコンマ数ミリ以下の微細孔を網状板４Ｃに形成すればよい。
【００４３】
この第２実施例の樋受け構造も、前記第１実施例と全く同様に施工することができる。
まず、第１の工程として、取付面５Ａに樋受け材４'の固定部４１'を長ビス（固定具）４ｂにて固定した。
次に、第２の工程として、前記樋受け材４'の支持部４２'の下方保持部４２２'に、軒樋１の建築物側の側面１３の支持受部１３１を載置状に取り付けた。その際、軒樋１の建築物側の側面１３の上端を、樋受け材４'の上方保持部４３１'に下方から差し込むように保持させた。その後、ビス１ｂを打ち込んで側面１３を縦面部４３'に固定した。
そして、第３の工程として、前記軒樋１の開放上面を覆うようにカバー材３を臨ませ、その上端（固着部３３）を、建築物の外装下地（軒先唐草６Ｄに設けた被固着部６６）にビス（固着具）３ｂにて固着すると共に、その下端に設けた係合部３２を、前記軒樋１の軒先端に設けた係合受部１２１に係合させた。
【００４４】
この第２実施例の樋受け構造は、その換気効果についてもほぼ同様の効果を奏することができる。即ち軒樋１の建築物側の側面１３の支持受部１３１を、取付面５Ａに固定した樋受け材４'の下方保持部４２２'に取り付け、樋受け材４'の支持部４２'に設けた換気用開口部４２１'（及び網状材４Ｃ）から通孔４４１を通って上下方向に換気を行うので、室内側への空気の取り入れ、室外側への排気を容易に行うことができる。
なお、図中に点線の白抜き矢印で、室内側への空気の取り入れを示しているが、吹き込み風が換気用開口部４２１'から取り入れられ、通孔４４１を通って換気の流路７０へ導入されている状態が示されている。
【００４５】
図３（ａ）に示す本発明の第３実施例の樋受け構造は、用いる樋受け材４"については前記第２実施例における樋受け材４'と同一であるが、カバー材３の配設角度及び軒先唐草６Ｄ"が異なるものであり、それ以外の軒樋１等については全く同様であるから、図面に同一符号を付して説明を省略する。
なお、前記軒先唐草６Ｄ"は、外装下地６Ｆの軒先部分に嵌合状に取り付けられ、軒先側へ延在して縦葺き外装材６Ａの軒先端を係合させる被係合部６５を備える点では前記軒先唐草６Ｄと共通するが、被固着部が設けられずに水返し部６７が形成されている。
【００４６】
この第３実施例における樋受け材４"は、図３（ｂ）に示すように上方保持部４３１'の外側には、符号４５で示す略Ｚ字状の被固着部を有し、軒先唐草６Ｄ"には被固着部が形成されていない構成である。
そして、この第３実施例では、カバー材３の配設角度が前記第１，２実施例に比べて緩やか（水平に近似する傾斜角度）であって、上端に形成される固着部３３が前記樋受け材４"に形成される被固着部４５にビス（固着具）３ｂにて固着されている。
【００４７】
この第３実施例の樋受け構造を施工する方法も、カバー材３を樋受け材４"に固着する以外は、前記第２実施例と同様である。
まず、第１の工程として、取付面５Ａに樋受け材４"の固定部４１を長ビス（固定具）４ｂにて固定した。
次に、第２の工程として、前記樋受け材４"の支持部４２'の下方保持部４２２'に、軒樋１の建築物側の側面１３の支持受部１３１を載置状に取り付けた。その際、軒樋１の建築物側の側面１３の上端を、樋受け材４"の上方保持部４３１'に下方から差し込むように保持させた。その後、ビス１ｂを打ち込んで側面１３を縦面部４３に固定した。
そして、第３の工程として、前記軒樋１の開放上面を覆うようにカバー材３を臨ませ、その上端（固着部３３）を、前記樋受け材４"に設けた被固着部４５にビス（固着具）３ｂにて固着すると共に、その下端に設けた係合部３２を、前記軒樋１の軒先端に設けた係合受部１２１に係合させた。
【００４８】
この第３実施例の樋受け構造は、その換気効果についてもほぼ同様の効果を奏することができる。即ち軒樋１の建築物側の側面１３の支持受部１３１を、取付面５Ａに固定した樋受け材４"の下方保持部４２２'に取り付け、樋受け材４"の支持部４２'に設けた換気用開口部４２１'（及び網状材４Ｃ）から通孔４４１を通って上下方向に換気を行うので、室内側への空気の取り入れ、室外側への排気を容易に行うことができる。
なお、図中に点線の白抜き矢印で、室内側への空気の取り入れを示しているが、吹き込み風が換気用開口部４２１'から取り入れられ、通孔４４１を通って換気の流路７０へ導入されている状態が示されている。
【００４９】
図４は、前述のように樋受け材４の換気用開口部４２１として用いる支持部４２のバリエーションであって、該支持部４２を下方から見た底面図である。これらの９ａ〜９ｄは、それぞれ楕円状の孔９０ａ〜９０ｄを所定間隔で形成したものである。
【符号の説明】
【００５０】
１，１'  軒樋
１１  底面
１２  （軒先側の）側面
１２１  係合受部
１３  （構造物側の）側面
１３１  支持受部
２  縦樋
３  カバー材
３ｂ  ビス（固着具）
３１  化粧面
３２  係合部（軒先端）
３３  固着部（上端部）
４，４'，４"  樋受け材
４ｂ  固定具
４１  固定部
４２  支持部
４２１  換気用開口部
４２２  下方保持部
４２３  取付部
４３  縦面部
４３１  上方保持部
４４  上方延出部
４５  被固着部
４Ｃ  網状材
５Ａ  外壁面
５０  通気層
６Ａ  横葺き外装材
６Ｄ，６Ｄ'  軒先唐草
６６  被固着部
【図１】
2020125586.tif 000003
【図２】
2020125586.tif 000004
【図３】
2020125586.tif 000005
【図４】
2020125586.tif 000006